(57)【要約】      （修正有）【課題】実戦に則した練習を行うことができて、理想的なスイングフォームを身に付けることが可能な野球スイング練習器具を提供する。【解決手段】野球スイング練習器具１のグリップ部３を握ってスイング（素振り）を行う。グリップ部３は木によって構成されているので、バットと同様の感覚でスイングを行うことができて、実戦に則した練習を行うことができる。また、弾性変形部９が塩化ビニール製なので、バットより軽量で多くの回数のスイングを行うことができ、長時間の反復練習が可能である。更に、軽量であることからスイングの軌道を確認しやすいという長所もある。体の中心軸を安定させたスイングを行えば、スイングのフィニッシュにおいて弾性変形部９が体に巻き付く方向へ弾性変形する。これにより、体の中心軸が安定したスイングを自ら確認することができる。【選択図】図４
0003195345.tif 000002
【実用新案登録請求の範囲】
【請求項１】
丸棒状で剛性材によって構成されたグリップ部と前記グリップ部の基端部に設けられたフランジ状のグリップエンド部と、前記グリップ部の先端部側に連結された棒状で弾性材によって構成された弾性変形部とから成ることを特徴とする野球スイング練習器具。
【請求項２】
請求項１に記載した野球スイング練習器具において、弾性変形部の外周部には長手方向へ延びる複数の凸条が形成されていることを特徴とする野球スイング練習器具。
【請求項３】
請求項１または２に記載した野球スイング練習器具において、弾性変形部はパイプによって構成されており、前記弾性変形部の途中部分にまでグリップ部の先端側に連設された挿入部が挿入されていることを特徴とする野球スイング練習器具。
【請求項４】
請求項３に記載した野球スイング練習器具において、弾性変形部の先端には開口が形成され、前記開口を閉鎖するキャップが着脱可能に備えられており、前記キャップを外して前記開口から弾性変形部の弾性力を調節する調節部材が挿入可能であることを特徴とする野球スイング練習器具。
【考案の詳細な説明】
【技術分野】
【０００１】
本考案は野球スイング練習器具に係り、特に素振りによって理想的なフォームを身に付けることができる野球スイング練習器具に関するものである。
【背景技術】
【０００２】
野球スイングの練習を行う場合にバットを用いると重いため体への負担が大きく、練習のためのスイング回数をそう多くすることはできない。そこで、例えば、特許文献１に記載されたスイング練習器具が用いられている。このスイング練習器具はニトリルゴム製の円筒状の棒から成り、軟質で軽量であることから脱力した状態でスイングを行うと、体の軸を中心とした遠心力と向心力を体感することができるとしている。
【先行技術文献】
【特許文献】
【０００３】
【特許文献１】実用新案登録第３１９１７２２号
【考案の概要】
【考案が解決しようとする課題】
【０００４】
しかしながら、上記従来のスイング練習器具は全体が軟質であるため、木や金属等の剛性材で構成された野球用バットと感覚が大きく異なるため、実戦に則した練習を行うことはかなり難いという問題がある。
本考案は、実戦に則した練習を行うことができ、理想的なスイングフォームを身に付けることが可能な野球スイング練習器具の提供を、その目的とする。
【課題を解決するための手段】
【０００５】
本考案は上記課題を解決するためになされたものであり、請求項１の発明は、丸棒状で剛性材によって構成されたグリップ部と前記グリップ部の基端部に設けられたフランジ状のグリップエンド部と、前記グリップ部の先端部側に連結された棒状で弾性材によって構成された弾性変形部とから成ることを特徴とする野球スイング練習器具である。
【０００６】
請求項２の発明は、請求項１に記載した野球スイング練習器具において、弾性変形部の外周部には長手方向へ延びる複数の凸条が形成されていることを特徴とする野球スイング練習器具である。
【０００７】
請求項３の発明は、請求項１または２に記載した野球スイング練習器具において、弾性変形部はパイプによって構成されており、前記弾性変形部の途中部分にまでグリップ部の先端側に連設された挿入部が挿入されていることを特徴とする野球スイング練習器具である。
【０００８】
請求項４の発明は、請求項３に記載した野球スイング練習器具において、弾性変形部の先端には開口が形成され、前記開口を閉鎖するキャップが着脱可能に備えられており、前記キャップを外して前記開口から弾性変形部の弾性力を調節する調節部材が挿入可能であることを特徴とする野球スイング練習器具である。
【考案の効果】
【０００９】
本考案の野球スイング練習器具を用いれば、実戦に則した練習を行うことができて、理想的なスイングフォームを身に付けることが可能となる。
【図面の簡単な説明】
【００１０】
【図１】本考案の実施の形態に係る野球スイング練習器具の斜視図である。
【図２】図１のＡ−Ａ断面図である。
【図３】図１のＢ−Ｂ断面図である。
【図４】図１の野球スイング練習器具を用いてスイングを行う様子を説明するための図である。
【図５】図１の野球スイング練習器具を用いてスイングを行う際の回外、回内の動作を説明するための図である。
【図６】図１の野球スイング練習器具を用いてスイングを行う際の回外、回内の動作を説明するための図である。
【図７】図１の野球スイング練習器具の弾性変形部に調節部材を挿入するための作業を説明するための断面図である。
【図８】図１の野球スイング練習器具の弾性変形部に調節部材を挿入した状態の断面図である。
【図９】本考案の実施の形態に係る野球スローイング練習器具の斜視図である。
【図１０】図９のＡ−Ａ断面図である。
【考案を実施するための形態】
【００１１】
本考案の実施の形態に係る野球スイング練習器具１を図面にしたがって説明する。
符号３はグリップ部を示し、このグリップ部３は剛性材としての木によって構成されている。グリップ部３は丸棒状で基端部側へいくに従って徐々に径寸法が小さくなっている。また、グリップ部３の基端部にはフランジ状のグリップエンド部５が設けられている。グリップ部３の先端側には挿入部７が連設されており、この挿入部７はグリップ部３の先端部よりやや径寸法が小さい丸棒状に形成されている。挿入部７の径寸法は全長に渡って同じ寸法となっている。
【００１２】
各部の寸法は次の通りである。
グリップ部３の長さ寸法Ｇ：２２０ｍｍ
グリップエンド部５の長さ（厚さ）寸法Ｅ：２０ｍｍ
グリップエンド部５の直径Ｆ：４８ｍｍ
挿入部７の長さ寸法Ｓ：２２０ｍｍ
【００１３】
符号９は弾性変形部を示し、この弾性変形部９は軟質の塩化ビニールなどの合成樹脂製のパイプによって構成され、弾性変形することができる。弾性変形部９の外周部には長手方向へ延びる１２本の凸条１１が形成されており、図２に示すように凸条１１は互いに等間隔を開けて配置されている。
また、弾性変形部９の先端には開口１３が形成され、この開口１３は合成樹脂製のキャップ１５によって閉鎖されている。このキャップ１５は開口１３に嵌められる嵌合部１５ａと開口１３から突出する頭部１５ｂから成る。
【００１４】
各部の寸法は次の通りである。
弾性変形部９の長さ寸法Ｄ：８６０ｍｍ
弾性変形部９の外径Ｒ１：３０ｍｍ
内径Ｒ２：２２ｍｍ
凸条１１の高さ寸法Ｔ：３ｍｍ
キャップ１５の嵌合部の１５ａの長さ寸法Ｃ１：１０ｍｍ
キャップ１５の頭部１５ｂの長さ寸法Ｃ２：８ｍｍ
【００１５】
挿入部７が弾性変形部９の基端部開口１７から弾性変形部９の途中部分にまで挿入されて接着固定されている。従って、グリップ部３の先端部側に弾性変形部９が連結される。従って、野球スイング練習器具１の全長は１１０８ｍｍである。
【００１６】
次に野球スイング練習器具１の使用方法について説明する。
図４（Ａ）〜（Ｃ）に示すように野球スイング練習器具１のグリップ部３を握ってスイング（素振り）を行う。グリップ部３は木によって構成されているので、バットと同様の感覚でスイングを行うことができて、実戦に則した練習を行うことができる。
また、弾性変形部９が塩化ビニール製なので、バットより軽量で多くの回数のスイングを行うことができ、長時間の反復練習が可能である。しかも、バットと異なり先端部に重心がないため、スイング中に野球スイング練習器具１のヘッドが下がったり、波打ったりするのを防止することができ、理想的なスイングフォームを容易につくることができる。更に、軽量であることから長時間に渡ってスイングしても負担が小さいため、スイングの軌道を確認しやすいという長所もある。
【００１７】
図４（Ｂ）に示すようにスイングの際に弾性変形部９の挿入部７が挿入された部分より先端側の部分がスイングの方向と逆方向へ湾曲するように弾性変形するので、野球スイング練習器具１のヘッドが遅れた状態となる。従って、ヘッドが遅れる理想的なフォームを体感することができる。
体の中心軸を安定させたスイングを行えば、図４（Ｃ）に示すようにスイングのフィニッシュにおいて弾性変形部９が体に巻き付く方向へ弾性変形する。これにより、体の中心軸が安定したスイングを自ら確認することができる。
【００１８】
また、弾性変形部９に凸条１１が形成されているので、スイングの際に空気抵抗を感じることができ、軽量でありながらバットを用いた場合と同じような感触を得ることが可能である。更に、凸条１１が形成されているので、かなり大きな風切音が発生する。これにより、スイング速度を音として捉えることができる。また、風切音の発生位置、すなわちスイングの軌道を耳で捉えることが可能となるので、インパクトの位置を確認する場合にも役立つ。更に、風切音が出ることで楽しく練習することができる。
【００１９】
また、野球スイング練習器具１は軽量でありながら、グリップ部３はバットと同じ剛性材によって構成されている。従って、図５に示すスイング開始から図６に示すスイング終了までにおいて、グリップ部３を握る手の理想的な回内、回外を体得することが可能である。よって、右脇をしめたヘッドが遅れて出る理想的なスイングを身に付けることができる。すなわち、スイング中の右手は回外から回内、左手は回内から回外の一連の動作を理想的なタイミングで行うことを身に付けることが可能となる。
【００２０】
なお、図７、図８に示すようにキャップ１５を外して発泡スチロール等から成る円柱状の調節部材１９を弾性変形部９内へ入れることで、弾性変形部９の弾性を調節することができる。
【００２１】
図９、図１０に野球スローイング練習用具２１を示す。
この野球スローイング練習用具２１は上記実施の形態に係る野球スイング練習器具１と同様の構成部材を有するので、同様の構成部材については上記実施の形態で用いた符号と同じ符号を付して、その説明を省略する。
弾性変形部２３は弾性変形部９と同じ軟質の塩化ビニールによって構成されており、凸条１１は形成されている。弾性変形部２３の長さ寸法Ｄ２は６３４ｍｍであり、野球スローイング練習用具２１は全長６５０ｍｍである。
弾性変形部２３には発泡スチロール製の調節部材２５が挿入されている。
弾性変形部２３の一端部には環状にした紐２７が取り付けられている。
【００２２】
この野球スローイング練習用具２１では、紐２７に手を通して握り、スローイングを行う。野球スローイング練習用具２１を用いれば、例えばタオルを握ってスローイングの練習を行う場合と比べてある程度の抵抗があり、投球フォームの矯正など実践的なスローイングの練習を行うことができる。
【００２３】
以上、本考案の実施の形態について詳述してきたが、具体的構成は、この実施の形態に限られるものではなく、本考案の要旨を逸脱しない範囲における設計の変更などがあっても考案に含まれる。
例えば、グリップ部、挿入部は木以外の、金属、合成樹脂等の剛性材によって構成してもよい。また、弾性変形部は軟質の塩化ビニール以外の軟質の合成樹脂によって構成してもよい。更に、調節部材は発泡スチロール以外の合成樹脂によって構成してもよい。
【００２４】
野球スイング練習器具１より寸法を短くして子供用のものとすることもできる。
子供用の野球スイング練習器具の弾性変形部の長さ寸法：７１０ｍｍ
他の各部の寸法は上記実施の形態の野球スイング練習器具１と同じである。
従って、子供用の野球スイング練習器具の全長は９５８ｍｍである。
このように、本考案の野球スイング練習器具は弾性変形部の長さ寸法を変更するだけで、子供用のものとすることが可能である。
なお、野球スローイング練習用具２１も同様に全長５００ｍｍとして子供用のものとすることが可能である。
【産業上の利用可能性】
【００２５】
本考案はスポーツ用品製造、販売業において産業上の利用可能性を有する。
【符号の説明】
【００２６】
１…野球スイング練習器具      ３…グリップ部      ５…グリップエンド部
７…挿入部      ９…弾性変形部      １１…凸条
１３…弾性変形部の先端部の開口      １５…キャップ
１５ａ…キャップの嵌合部      １５ｂ…キャップの頭部
１７…弾性変形部の基端部の開口    １９…調節部材
２１…野球スローイング練習用具      ２３…弾性変形部
２５…調節部材      ２７…紐
【図１】
0003195345.tif 000003
【図２】
0003195345.tif 000004
【図３】
0003195345.tif 000005
【図４】
0003195345.tif 000006
【図５】
0003195345.tif 000007
【図６】
0003195345.tif 000008
【図７】
0003195345.tif 000009
【図８】
0003195345.tif 000010
【図９】
0003195345.tif 000011
【図１０】
0003195345.tif 000012